(57)【特許請求の範囲】
【請求項１】
壁面に取り付けられる基部と、
上記基部と略平行となるように折り畳まれた第１の状態、および、上記基部から離間した第２の状態の何れかに移行可能に構成されたカバーとを備え、
上記基部はボタンを備え、
上記カバーは、最大径の位置に向かって徐々に径が大きくなる部位を有する握り押しボタンの最小径よりも大きく当該最大径よりも小さい直径の穴であって、上記握り押しボタンを挿入したときに、当該最大径の位置の手前で上記握り押しボタンの径が当該穴の直径と一致して上記握り押しボタンが係止する穴を有しており、
当該穴は、上記第１の状態のときに上記ボタンと対向する位置に設けられていることを特徴とするウォールユニット。
【請求項２】
上記カバーは、上記穴から上記カバーの側面まで、上記握り押しボタンのコードよりも太い幅の切り込みを更に有することを特徴とする請求項１に記載のウォールユニット。
【請求項３】
上記基部は、上記握り押しボタンのコードの先端に設けられたプラグを取り付けるためのコンセントを更に備え、
上記カバーは、上記プラグの直径よりも大きい直径の第２の穴を更に有しており、当該第２の穴は、上記第１の状態のときに上記コンセントと対向する位置に設けられていることを特徴とする請求項１または２に記載のウォールユニット。
【発明の詳細な説明】
【技術分野】
【０００１】
本発明は、ナースコールシステムにおいて壁面に埋め込み設置されるウォールユニットに関するものである。
【背景技術】
【０００２】
病院や福祉施設などに設置されるナースコールシステムは、ナースステーションに設置されるナースコール親機と、病室の出入口近傍の廊下側に設置され、ナースコール親機に接続される廊下灯と、病室内のベッドサイド壁面に設置され、廊下灯に接続されるウォールユニットと、ウォールユニットに接続され、患者により使用されるナースコール子機とを備えている。
【０００３】
ナースコール子機としては、ハンド形子機や握り押しボタンなどがある。図４（ａ）に示すように、ハンド形子機１００は、呼出ボタン１０１の他にスピーカ１０２とマイク１０３とを備え、ハンド形子機自体が通話機能を持っている。一方、図４（ｂ）に示すように、握り押しボタン１１０は、呼出ボタン１１１のみを備えており、呼び出し専用であり、通話機能を持たない。
【０００４】
ウォールユニットは、その表面にコンセントを備えている。ナースコール子機のコードの先端に設けられたプラグをコンセントに取り付けることで、患者がナースコール子機によってナースコール親機に呼び出しを行うことができるようになっている。ウォールユニットの中には、コンセントの他に、現場にいる看護師が応援を要請する際に押下するスタッフボタンや、看護師から患者が呼び出されたときに応答するための復旧ボタンなどを備えたものも存在する。
【０００５】
さらに、ウォールユニットの中には、図５に示すように、コンセント２０１の他にフック２０２を備えたものも存在する。この種のウォールユニットでは、患者が呼び出しを行わないとき（ハンド形子機１００を使用しないとき）は、ハンド形子機１００が備えるリング１０４をフック２０２に懸架しておくことが可能である。
【０００６】
なお、図５に示すような一般的なフック機能付きウォールユニットでは、フック２０２が固定式であり、フック２０２の姿勢変化ができないように構成されている。これに対し、フックを折り畳み可能に構成したウォールユニットが知られている（例えば、特許文献１参照）。
【０００７】
特許文献１に記載のウォールユニットは、壁面と略同平面を形成する第１の状態と、壁面から突出してナースコール子機のリングを掛けるフックを形成する第２の状態とを移行するカバーを備えている。そして、このカバーが第２の状態にあるときに、壁面に現れるコンセントにナースコール子機のプラグを接続し、フックとして機能するカバーにナースコール子機のリングを掛けることができるようになっている。
【先行技術文献】
【特許文献】
【０００８】
【特許文献１】特開２０１４−１２４１８８号公報
【発明の概要】
【発明が解決しようとする課題】
【０００９】
しかしながら、従来のフック機能付きウォールユニットでは、リングを有するハンド形子機１００を懸架することができるものの、リングを有しない握り押しボタン１１０は懸架することができないという問題があった。
【００１０】
また、特許文献１に記載のウォールユニットでは、カバーを第１の状態にして閉じると、壁面に設けられたコンセントがカバーにより覆われて使用できなくなる。仮に、コンセントに加えてスタッフボタン等を壁面に設けた場合には、カバーを閉じたときにスタッフボタン等も操作できなくなってしまうという問題が生じる。
【００１１】
本発明は、このような問題を解決するために成されたものであり、リング等のハンガー部を有しない握り押しボタンを支持することができ、かつ、壁面に設けられたボタンをカバーの開閉によらず操作できるようにすることを目的とする。
【課題を解決するための手段】
【００１２】
上記した課題を解決するために、本発明のウォールユニットは、壁面に取り付けられる基部と略平行となるように折り畳まれた第１の状態、および、基部から離間した第２の状態の何れかに移行可能に構成されたカバーを備えている。本発明では、このカバーに対し、最大径の位置に向かって徐々に径が大きくなる部位を有する握り押しボタンの最小径よりも大きく当該最大径よりも小さい直径の穴であって、握り押しボタンを挿入したときに、当該最大径の位置の手前で握り押しボタンの径が当該穴の直径と一致して握り押しボタンが係止する穴を設けている。この穴は、カバーが第１の状態のときに、基部に設けられたボタンと対向する位置に設けるようにしている。
【発明の効果】
【００１３】
上記のように構成した本発明によれば、カバーを基部から離間させて第２の状態に移行すると、カバーに設けられた穴も基部から離れて、握り押しボタンの胴部を嵌めることが可能な状態となる。穴の直径は、握り押しボタンの最小径よりも大きく最大径よりも小さく設定されているため、握り押しボタンの胴部を最小径の方から穴に挿入すると、穴の直径と胴部の直径とが一致するところで握り押しボタンが係止し、穴により支持されることとなる。一方、カバーを基部と略平行となるように折り畳んで第１の状態に移行すると、基部に設けられたボタンと対向する位置に穴が重なるので、穴を通してボタンを操作することが可能である。以上のように、本発明によれば、リング等のハンガー部を有しない握り押しボタンを支持することができ、かつ、壁面に設けられたボタンをカバーの開閉によらず操作することができる。
【図面の簡単な説明】
【００１４】
【図１】本実施形態によるウォールユニットの構成例を示す図である。
【図２】握り押しボタンの最小径および最大径を示す図である。
【図３】本実施形態によるウォールユニットの使用状態を示す図である。
【図４】従来のナースコール子機を示す図である。
【図５】従来のウォールユニットを示す図である。
【発明を実施するための形態】
【００１５】
以下、本発明の一実施形態を図面に基づいて説明する。図１は、本実施形態によるウォールユニットの構成例を示す図である。ここで、（ａ）はカバーを閉じた状態の正面図、（ｂ）はカバーを開いた状態の正面図、（ｃ）はカバーを開いた状態の側面図である。
【００１６】
図１に示すように、本実施形態のウォールユニットは、壁面に取り付けられる基部１０と、当該基部１０に対して回動可能に取り付けられたカバー２０とを備えて構成されている。基部１０は、看護師が応援を要請する際に押下するスタッフボタン１１と、図２に示す握り押しボタン１１０のコード１１２の先端に設けられたプラグを取り付けるためのコンセント１２とを備えている。
【００１７】
カバー２０は、その下端部に設けた横方向の軸を支点として回動可能なように、基部１０に軸支されている。これにより、カバー２０は、図１（ａ）のように基部１０と略平行となるように折り畳まれた第１の状態と、図１（ｂ）（ｃ）のように基部１０から離間した第２の状態との何れかに移行可能に構成されている。本実施形態では、カバー２０は略９０度回動可能であるが、この角度に限定されるものではない。
【００１８】
カバー２０は、図２に示す握り押しボタン１１０の最小径Ｒ１よりも大きく最大径Ｒ２よりも小さい直径を有する第１の穴２１（特許請求の範囲の穴に相当）を備えている。この第１の穴２１は、カバー２０が第１の状態のとき（閉じているとき）にスタッフボタン１１と対向する位置に設けられている。このため、カバー２０が閉じられていても、第１の穴２１を通してスタッフボタン１１を操作することが可能である。
【００１９】
また、カバー２０は、第１の穴２１からカバー２０の側面まで、握り押しボタン１１０のコード１１２よりも太い幅の切り込み２３を備えている。この切り込み２３は、カバー２０を第２の状態にして（開いて）、第１の穴２１に握り押しボタン１１０を嵌める際、および、第１の穴２１から握り押しボタン１１０を取り出す際に、コード１１２を通すために使用される。
【００２０】
さらに、カバー２０は、握り押しボタン１１０のコード１１２の先端に設けられたプラグの直径よりも大きい直径を有する第２の穴２２を備えている。この第２の穴２２は、カバー２０が第１の状態のときにコンセント１２と対向する位置に設けられている。このため、カバー２０が閉じられていても、第２の穴２２を通してプラグをコンセント１２に取り付けることが可能である。
【００２１】
図３は、本実施形態によるウォールユニットの使用状態を示す図である。図３は、カバー２０を開いて第２の状態にした上で、握り押しボタン１１０をカバー２０に載置した状態を示している。
【００２２】
すなわち、カバー２０を基部１０から離間させて第２の状態に移行すると、カバー２０に設けられた第１の穴２１も基部１０から離れて、握り押しボタン１００の胴部を嵌めることが可能な状態となる。本実施形態では、カバー２０は第１の状態から９０度回転して第２の状態となることから、第１の穴２１は垂直方向を向く。このため、握り押しボタン１１０を第１の穴２１に対して垂直方向に嵌めることが可能である。
【００２３】
ここで、第１の穴２１の直径は、握り押しボタン１１０の最小径Ｒ１よりも大きく最大径Ｒ２よりも小さく設定されているため、握り押しボタン１１０の胴部を最小径Ｒ１の方から第１の穴２１に挿入すると、第１の穴２１の直径と胴部の直径とが一致するところで握り押しボタン１１０が係止し、第１の穴２１により支持されることとなる。
【００２４】
このとき、握り押しボタン１１０のコード１１２を第２の穴２２に通し、コード１１２の先端に設けられたプラグ１１３をコンセント１２に差し込むことが可能である。これにより、患者が握り押しボタン１１０をいつでも使用できるようにプラグ１１３をコンセント１２に差し込んだ状態にして、呼び出しを行わない未使用時には握り押しボタン１１０を第１の穴２１に嵌めて、カバー２０に載置しておくことができる。
【００２５】
一方、患者が握り押しボタン１１０を使用して呼び出しを行う際には、第１の穴２１から握り押しボタン１１０を取り外し、切り込み２３を通してコード１１２も第１の穴２１から外側に外す。これにより、プラグ１１３をコンセント１２に接続したままの状態で、握り押しボタン１１０を患者の手元まで持ってきて呼出ボタン１１１を操作することができる。
【００２６】
なお、握り押しボタン１１０を患者の手元に置いているときは、カバー２０を閉じて第１の状態としておくことができる。このように、カバー２０を基部１０と略平行となるように折り畳んで第１の状態に移行すると、基部１０に設けられたスタッフボタン１１と対向する位置に第１の穴２１重なるので、第１の穴２１を通してスタッフボタン１１を操作することが可能である。
【００２７】
以上のように、本実施形態のウォールユニットによれば、リング等のハンガー部を有しない握り押しボタン１１０を支持することができ、かつ、壁面に設けられたスタッフボタン１１をカバー２０の開閉によらず操作することができる。
【００２８】
なお、上記実施形態では、基部１０が備えるボタンの一例としてスタッフボタン１１を挙げて説明したが、本発明はこれに限定されない。例えば、患者またはその家族が看護師を呼び出すための呼出ボタン、あるいは、看護師（ナースコール親機）から患者が呼び出されたときに応答するための復旧ボタンなどを備える構成としてもよい。
【００２９】
また、上記実施形態では、基部１０がスタッフボタン１１の他にコンセント１２を備える構成について説明したが、本発明はこれに限定されない。例えば、コンセント１２が本実施形態のウォールユニット以外に設けられている場合には、基部１０にコンセント１２がない構成としてもよい。この場合、カバー２０は第２の穴２２を備える必要はない。
【００３０】
また、上記実施形態では、握り押しボタン１１０は有線式であるため、カバー２０は、握り押しボタン１１０のコード１１２の先端に設けられたプラグ１１３の直径よりも大きい直径を有する第２の穴２２を備えており、この第２の穴２２は、カバー２０が第１の状態のときにコンセント１２と対向する位置に設けられているが、本発明はこれに限定されない。例えば、握り押しボタンを無線式とした場合、この握り押しボタンにコードやプラグは存在せず、コンセントも存在しないため、カバー２０は第２の穴２２や切り込み２３を備える必要はない。
【００３１】
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３２】
１０  基部
１１  ボタン
１２  コンセント
２０  カバー
２１  第１の穴
２２  第２の穴
２３  切り込み
【図１】
0006659391.tif 000002
【図２】
0006659391.tif 000003
【図３】
0006659391.tif 000004
【図４】
0006659391.tif 000005
【図５】
0006659391.tif 000006